(57)【特許請求の範囲】
【請求項１】
原稿台上に載置された複数枚の原稿の幅方向端部を、回転自在のピニオンに歯合するラック部が一体的に形成された一対の幅ガイドにより保持し、原稿搬送時、分離ローラを中心として回動可能に配設されたピックアップローラが所定の待機位置から前記分離ローラを中心とした上方に回動しつつ回転して前記原稿台上の前記原稿を前記分離ローラに送り出し、前記分離ローラで前記原稿を１枚ずつ分離して原稿読取部に搬送する画像読取装置であって、前記ピックアップローラに連結され前記ピックアップローラが前記待機位置に位置するとき、前記ピニオンから離れて前記ピニオンの回転を確保し、前記ピックアップローラが前記待機位置から前記分離ローラを中心として上方に回動すると、当該ピックアップローラの上方への回動に連動して所定方向に所定量移動して、前記ピニオンに当接して前記ピニオンの回転を規制し、前記幅ガイドの移動を規制して前記原稿を保持させる規制手段を配設したことを特徴とする画像読取装置。
【請求項２】
前記規制手段は、前記ピニオンに歯合可能なギヤ部を備えた規制部材と、前記規制部材を前記ピックアップローラに連結する連結部材と、前記規制部材を前記ギヤ部が前記ピニオンから離隔する方向に付勢する付勢部材と、を備え、前記ピックアップローラが前記待機位置に位置するとき、前記規制部材が前記付勢部材により前記ギヤ部が前記ピニオンから離隔する方向に付勢されて前記ギヤ部が前記ピニオンと離れて前記ピニオンの回転を確保し、前記ピックアップローラが前記分離ローラを中心として上方に回動すると、前記規制部材が前記連結部材を介して前記ピックアップローラの回動により前記ギヤ部が前記ピニオン方向に移動して前記ピニオンと歯合し、前記ピニオンの回転を規制することを特徴とする請求項１記載の画像読取装置。
【請求項３】
原稿台上に載置された複数枚の原稿の幅方向端部を、回転自在のピニオンに歯合するラック部が一体的に形成された一対の幅ガイドにより保持し、原稿搬送時、分離ローラを中心として回動可能に配設されたピックアップローラが所定の待機位置から前記分離ローラを中心とした上方に回動しつつ回転して前記原稿台上の前記原稿を前記分離ローラに送り出し、前記分離ローラで前記原稿を１枚ずつ分離して原稿読取部に搬送する画像読取装置であって、前記ピニオンの軸方向に配設され前記ピニオンに所定の付勢力を付与して前記ピニオンの回転に所定の負荷を付与する付勢部材と、前記ピックアップローラに連結され前記ピックアップローラが前記待機位置に位置するとき、前記ピニオンあるいは前記付勢部材から離れて前記ピニオンの回転を確保し、前記ピックアップローラが前記待機位置から前記分離ローラを中心として上方に回動すると、当該ピックアップローラの上方への回動に連動して前記ピニオンの軸方向に移動して前記ピニオンと前記付勢部材とを押し付けて、前記付勢部材による前記ピニオンの回転への負荷を増大させ、前記幅ガイドの移動にかかる負荷を増大させて前記原稿を保持させる規制手段と、を配設したことを特徴とする画像読取装置。
【請求項４】
原稿台上に載置された複数枚の原稿の幅方向端部を、回転自在のピニオンに歯合するラック部が一体的に形成された一対の幅ガイドにより保持し、原稿搬送時、分離ローラを中心として回動可能に配設されたピックアップローラが所定の待機位置から前記分離ローラを中心とした上方に回動しつつ回転して前記原稿台上の前記原稿を前記分離ローラに送り出し、前記分離ローラで前記原稿を１枚ずつ分離して原稿読取部に搬送する画像読取装置であって、前記ピニオンに歯合して所定の軸を中心に回転可能な補助ギヤと、前記補助ギヤの軸方向に配設され前記補助ギヤに所定の付勢力を付与して前記補助ギヤの回転に所定の負荷を付与する付勢部材と、前記ピックアップローラに連結され前記ピックアップローラが前記待機位置に位置するとき、前記補助ギヤあるいは前記付勢部材から離れて前記補助ギヤの回転を確保して前記ピニオンの回転を確保し、前記ピックアップローラが前記待機位置から前記分離ローラを中心として上方に回動すると、当該ピックアップローラの上方への回動に連動して前記補助ギヤの軸方向に移動して前記補助ギヤと前記付勢部材とを押し付けて、前記付勢部材による前記補助ギヤの回転への負荷を増大させ、前記幅ガイドの移動にかかる負荷を増大させて前記原稿を保持させる規制手段と、を配設したことを特徴とする画像読取装置。
【発明の詳細な説明】
【０００１】
【発明の属する技術分野】
本発明は、画像読取装置に関し、詳細には、原稿の幅方向の移動を規制する幅ガイドの操作性が良好で、かつ、幅ガイドによる原稿の保持性能の良好な画像読取装置に関する。
【０００２】
【従来の技術】
ファクシミリ装置、複写機及びプリンタ等の画像読取装置においては、複数枚の用紙（原稿）を原稿台上にセットして、給紙台からピックアップローラにより原稿を送り出し、分離ローラで原稿を１枚ずつ分離して、画像読取部に原稿を搬送している。
【０００３】
このような画像読取装置においては、セットされた原稿を１枚ずつ分離して送り出すが、セットされた原稿の幅方向の移動を規制して、適切に原稿を送り出すための幅ガイドが設けられており、この幅ガイドは、操作性を向上させるために、従来から、ラックが一体として形成された幅ガイドをピニオンで連結して、一方側の幅ガイドを原稿用紙の幅方向に移動操作すると、他方側の幅ガイドも連動して移動して、原稿幅にあわせて幅ガイドを移動させ、適切に原稿を保持できるようになっている。
【０００４】
このような幅ガイドに対して、原稿を適切に保持させるために、従来から幅ガイドに所定の動作負荷を与えており、この動作負荷を与える機構としては、ラック一体型の幅ガイドでは、ピニオンに圧縮バネあるいは板バネにより荷重をかけており、また、幅ガイド板とラックを別部材とし、ラック部に本体側に当接する弾性形状部分を一体で設け、幅ガイドの動作に負荷をかけている。
【０００５】
例えば、従来の原稿読取装置は、図６及び図７に示すように、原稿読取装置本体１の上部に原稿台２が形成されており、原稿台２には、一対の幅ガイド３、４が設けられている。原稿台２上にセットされた原稿５は、分離ローラ６を中心に回動可能に配設されたピックアップローラ７が上方に回動して、押さえ部材８に押し付けられ、回転するピックアップローラ７により分離ローラ６まで送り出される。分離ローラ６まで送り出された原稿５は、分離ローラ６に当接してている対向ローラ９により１枚ずつ分離されて、搬送ローラ対１０に送り出され、搬送ローラ対１０は、送り出されてきた原稿５をイメージセンサ１１とイメージセンサ１１に当接する白基準ローラ１２の間に搬送する。イメージセンサ１１位置まで搬送されてきた原稿５は、白基準ローラ１２によりイメージセンサ１１に押し付けられつつ搬送され、この搬送される原稿５の画像をイメージセンサ１１が読み取る。イメージセンサ１１により画像の読み取られた原稿５は、排紙ローラ対１３により排出される。
【０００６】
上記幅ガイド３、４は、図７に示すように、ガイド部３ａ、４ａとラック部３ｂ、４ｂが一体的に形成されており、幅ガイド３のラック部３ｂと幅ガイド４のラック部４ｂは、ピニオン１４に歯合して、連動して原稿５の幅方向に移動可能となっている。ピニオン１４は、原稿読取装置本体１の原稿台２部分の所定の板部材（例えば、底板等）に圧縮スプリング１５を介してネジ１６により取り付けられており、圧縮スプリング１５は、ピニオン１４の回転に所定の負荷を付与して、幅ガイド３、４が不用意に移動することを防止している。
【０００７】
【発明が解決しようとする課題】
しかしながら、このような従来の画像読取装置にあっては、ラック一体型の一対の幅ガイドのラック部に歯合するピニオンに、圧縮バネあるいは板バネ等により荷重をかけることにより幅ガイド板の動作に負荷をかけるようになっていたため、幅ガイドの動作にかかる負荷が幅ガイドの移動方向に関わらず一定しており、オペレータが幅ガイドの位置を調整する際にも負荷がかかり幅ガイドの操作性が悪いとともに、原稿の幅規制の信頼性が悪いという問題があった。
【０００８】
そこで、請求項１記載の発明は、分離ローラを中心に待機位置と上方とに回動するピックアップローラに所定の規制手段を連結し、ピックアップローラが、待機位置に位置するとき、規制手段を幅ガイドのラック部の歯合するピニオンから離してピニオンの回転を確保し、ピックアップローラが待機位置から分離ローラを中心として上方に回動すると、規制手段を、ピックアップローラの上方への回動に連動して所定方向に所定量移動してピニオンに当接して、ピニオンの回転を規制し、幅ガイドの移動を規制して原稿を保持することにより、原稿の搬送動作に応じて分離ローラを中心に回動するピックアップローラの回動動作に応じて、規制手段を移動して、幅ガイドのラック部の歯合しているピニオンを自由回転させるとともにピニオンの回転を規制し、幅ガイドを原稿幅にあわせて操作する際には、ピニオンの回転が規制されずに適切に操作でき、原稿搬送時にピックアップローラが上方に回動するのに連動させてピニオンの回転を確実に規制して幅ガイドにより原稿を確実に保持し、幅ガイドによる原稿の保持性能と幅ガイドの操作性の良好な画像読取装置を提供することを目的としている。
【０００９】
請求項２記載の発明は、規制手段を、ピニオンに歯合可能なギヤ部を備えた規制部材と、規制部材をピックアップローラに連結する連結部材と、規制部材をギヤ部がピニオンから離隔する方向に付勢する付勢部材と、を備えたものとし、ピックアップローラが待機位置に位置するとき、付勢部材により規制部材のギヤ部をピニオンから離隔する方向に付勢して、ギヤ部とピニオンとを離してピニオンの回転を確保し、ピックアップローラが分離ローラを中心として上方に回動すると、ピックアップローラの回動により連結部材を介して規制部材のギヤ部をピニオン方向に移動してピニオンと歯合させ、ピニオンの回転を規制することにより、簡単な構成で、原稿の搬送動作に応じて分離ローラを中心に回動するピックアップローラの回動動作に応じて、ピニオンに歯合可能な規制部材を移動して、幅ガイドのラック部の歯合しているピニオンを自由回転させるとともにピニオンの回転を確実に規制し、幅ガイドによる原稿の保持性能と幅ガイドの操作性のより一層良好な画像読取装置を安価に提供することを目的としている。
【００１０】
請求項３記載の発明は、幅ガイドのラック部の歯合するピニオンの軸方向に配設されてピニオンに所定の付勢力を付与してピニオンの回転に所定の負荷を付与する付勢部材と、ピックアップローラに連結されピックアップローラが待機位置に位置するとき、ピニオンあるいは付勢部材から離れてピニオンの回転を確保し、ピックアップローラが待機位置から分離ローラを中心として上方に回動すると、当該ピックアップローラの上方への回動に連動してピニオンの軸方向に移動してピニオンと付勢部材とを押し付けて、付勢部材によるピニオンの回転への負荷を増大させ、幅ガイドの移動にかかる負荷を増大させて原稿を保持させる規制手段と、を配設することにより、原稿の搬送動作に応じて分離ローラを中心に回動するピックアップローラの回動動作に応じて、幅ガイドのラック部の歯合しているピニオンの回転に負荷を付与する付勢部材の付勢力を調整し、幅ガイドを原稿幅にあわせて操作する際には、付勢部材のピニオンへの負荷を弱めて適切に操作でき、原稿搬送時にピックアップローラが上方に回動するのに連動させて付勢部材のピニオンへの負荷を増大させて、幅ガイドにより原稿を適切に保持し、幅ガイドによる原稿の保持性能と幅ガイドの操作性の良好な画像読取装置を提供することを目的としている。
【００１１】
請求項４記載の発明は、幅ガイドのラック部の歯合するピニオンに歯合して所定の軸を中心に回転可能な補助ギヤと、補助ギヤの軸方向に配設され補助ギヤに所定の付勢力を付与して補助ギヤの回転に所定の負荷を付与する付勢部材と、ピックアップローラに連結されピックアップローラが待機位置に位置するとき、補助ギヤあるいは付勢部材から離れて補助ギヤの回転を確保してピニオンの回転を確保し、ピックアップローラが待機位置から分離ローラを中心として上方に回動すると、当該ピックアップローラの上方への回動に連動して補助ギヤの軸方向に移動して補助ギヤと付勢部材とを押し付けて、付勢部材による補助ギヤの回転への負荷を増大させ、幅ガイドの移動にかかる負荷を増大させて原稿を保持させる規制手段と、を配設することにより、幅ガイドのラック部の歯合しているピニオンに補助ギヤを歯合させるとともに、原稿の搬送動作に応じて分離ローラを中心に回動するピックアップローラの回動動作に応じて、ピニオンの歯合している補助ギヤの回転に負荷を付与する付勢部材の付勢力を調整し、幅ガイドを原稿幅にあわせて操作する際には、付勢部材の補助ギヤへの負荷を弱めて適切に操作でき、原稿搬送時にピックアップローラが上方に回動するのに連動させて付勢部材の補助ギヤへの負荷を増大させて、幅ガイドにより原稿を適切に保持するとともに、補助ギヤの大きさを変化させることにより、幅ガイドの位置を自由に変化させて、レイアウトの自由度を向上させ、原稿の保持性能と幅ガイドの操作性が良好で、幅ガイドの位置設定の自由度の大きい画像読取装置を提供することを目的としている。
【００１２】
【課題を解決するための手段】
請求項１記載の発明の画像読取装置は、原稿台上に載置された複数枚の原稿の幅方向端部を、回転自在のピニオンに歯合するラック部が一体的に形成された一対の幅ガイドにより保持し、原稿搬送時、分離ローラを中心として回動可能に配設されたピックアップローラが所定の待機位置から前記分離ローラを中心とした上方に回動しつつ回転して前記原稿台上の前記原稿を前記分離ローラに送り出し、前記分離ローラで前記原稿を１枚ずつ分離して原稿読取部に搬送する画像読取装置であって、前記ピックアップローラに連結され前記ピックアップローラが前記待機位置に位置するとき、前記ピニオンから離れて前記ピニオンの回転を確保し、前記ピックアップローラが前記待機位置から前記分離ローラを中心として上方に回動すると、当該ピックアップローラの上方への回動に連動して所定方向に所定量移動して、前記ピニオンに当接して前記ピニオンの回転を規制し、前記幅ガイドの移動を規制して前記原稿を保持させる規制手段を配設することにより、上記目的を達成している。
【００１３】
上記構成によれば、分離ローラを中心に待機位置と上方とに回動するピックアップローラに所定の規制手段を連結し、ピックアップローラが、待機位置に位置するとき、規制手段を幅ガイドのラック部の歯合するピニオンから離してピニオンの回転を確保し、ピックアップローラが待機位置から分離ローラを中心として上方に回動すると、規制手段を、ピックアップローラの上方への回動に連動して所定方向に所定量移動してピニオンに当接して、ピニオンの回転を規制し、幅ガイドの移動を規制して原稿を保持するので、原稿の搬送動作に応じて分離ローラを中心に回動するピックアップローラの回動動作に応じて、規制手段を移動して、幅ガイドのラック部の歯合しているピニオンを自由回転させるとともにピニオンの回転を規制することができ、幅ガイドを原稿幅にあわせて操作する際には、ピニオンの回転が規制されず適切に操作できるとともに、原稿搬送時にピックアップローラが上方に回動するのに連動させてピニオンの回転を確実に規制して幅ガイドにより原稿を確実に保持することができる。その結果、幅ガイドによる原稿の保持性能と幅ガイドの操作性を向上させることができる。
【００１４】
この場合、例えば、請求項２に記載するように、前記規制手段は、前記ピニオンに歯合可能なギヤ部を備えた規制部材と、前記規制部材を前記ピックアップローラに連結する連結部材と、前記規制部材を前記ギヤ部が前記ピニオンから離隔する方向に付勢する付勢部材と、を備え、前記ピックアップローラが前記待機位置に位置するとき、前記規制部材が前記付勢部材により前記ギヤ部が前記ピニオンから離隔する方向に付勢されて前記ギヤ部が前記ピニオンと離れて前記ピニオンの回転を確保し、前記ピックアップローラが前記分離ローラを中心として上方に回動すると、前記規制部材が前記連結部材を介して前記ピックアップローラの回動により前記ギヤ部が前記ピニオン方向に移動して前記ピニオンと歯合し、前記ピニオンの回転を規制するものであってもよい。
【００１５】
上記構成によれば、規制手段を、ピニオンに歯合可能なギヤ部を備えた規制部材と、規制部材をピックアップローラに連結する連結部材と、規制部材をギヤ部がピニオンから離隔する方向に付勢する付勢部材と、を備えたものとし、ピックアップローラが待機位置に位置するとき、付勢部材により規制部材のギヤ部をピニオンから離隔する方向に付勢して、ギヤ部とピニオンとを離してピニオンの回転を確保し、ピックアップローラが分離ローラを中心として上方に回動すると、ピックアップローラの回動により連結部材を介して規制部材のギヤ部をピニオン方向に移動してピニオンと歯合させ、ピニオンの回転を規制するので、簡単な構成で、原稿の搬送動作に応じて分離ローラを中心に回動するピックアップローラの回動動作に応じて、ピニオンに歯合可能な規制部材を移動して、幅ガイドのラック部の歯合しているピニオンを自由回転させることができるとともにピニオンの回転を確実に規制することができ、幅ガイドによる原稿の保持性能と幅ガイドの操作性を安価により一層向上させることができる。
【００１６】
請求項３記載の発明の画像読取装置は、原稿台上に載置された複数枚の原稿の幅方向端部を、回転自在のピニオンに歯合するラック部が一体的に形成された一対の幅ガイドにより保持し、原稿搬送時、分離ローラを中心として回動可能に配設されたピックアップローラが所定の待機位置から前記分離ローラを中心とした上方に回動しつつ回転して前記原稿台上の前記原稿を前記分離ローラに送り出し、前記分離ローラで前記原稿を１枚ずつ分離して原稿読取部に搬送する画像読取装置であって、前記ピニオンの軸方向に配設され前記ピニオンに所定の付勢力を付与して前記ピニオンの回転に所定の負荷を付与する付勢部材と、前記ピックアップローラに連結され前記ピックアップローラが前記待機位置に位置するとき、前記ピニオンあるいは前記付勢部材から離れて前記ピニオンの回転を確保し、前記ピックアップローラが前記待機位置から前記分離ローラを中心として上方に回動すると、当該ピックアップローラの上方への回動に連動して前記ピニオンの軸方向に移動して前記ピニオンと前記付勢部材とを押し付けて、前記付勢部材による前記ピニオンの回転への負荷を増大させ、前記幅ガイドの移動にかかる負荷を増大させて前記原稿を保持させる規制手段と、を配設することにより、上記目的を達成している。
【００１７】
上記構成によれば、幅ガイドのラック部の歯合するピニオンの軸方向に配設されてピニオンに所定の付勢力を付与してピニオンの回転に所定の負荷を付与する付勢部材と、ピックアップローラに連結されピックアップローラが待機位置に位置するとき、ピニオンあるいは付勢部材から離れてピニオンの回転を確保し、ピックアップローラが待機位置から分離ローラを中心として上方に回動すると、当該ピックアップローラの上方への回動に連動してピニオンの軸方向に移動してピニオンと付勢部材とを押し付けて、付勢部材によるピニオンの回転への負荷を増大させ、幅ガイドの移動にかかる負荷を増大させて原稿を保持させる規制手段と、を配設しているので、原稿の搬送動作に応じて分離ローラを中心に回動するピックアップローラの回動動作に応じて、幅ガイドのラック部の歯合しているピニオンの回転に負荷を付与する付勢部材の付勢力を調整することができ、幅ガイドを原稿幅にあわせて操作する際には、付勢部材のピニオンへの負荷を弱めて適切に操作することができるとともに、原稿搬送時にピックアップローラが上方に回動するのに連動させて付勢部材のピニオンへの負荷を増大させて、幅ガイドにより原稿を適切に保持することができる。その結果、幅ガイドによる原稿の保持性能と幅ガイドの操作性を向上させることができる。
【００１８】
請求項４記載の発明の画像読取装置は、原稿台上に載置された複数枚の原稿の幅方向端部を、回転自在のピニオンに歯合するラック部が一体的に形成された一対の幅ガイドにより保持し、原稿搬送時、分離ローラを中心として回動可能に配設されたピックアップローラが所定の待機位置から前記分離ローラを中心とした上方に回動しつつ回転して前記原稿台上の前記原稿を前記分離ローラに送り出し、前記分離ローラで前記原稿を１枚ずつ分離して原稿読取部に搬送する画像読取装置であって、前記ピニオンに歯合して所定の軸を中心に回転可能な補助ギヤと、前記補助ギヤの軸方向に配設され前記補助ギヤに所定の付勢力を付与して前記補助ギヤの回転に所定の負荷を付与する付勢部材と、前記ピックアップローラに連結され前記ピックアップローラが前記待機位置に位置するとき、前記補助ギヤあるいは前記付勢部材から離れて前記補助ギヤの回転を確保して前記ピニオンの回転を確保し、前記ピックアップローラが前記待機位置から前記分離ローラを中心として上方に回動すると、当該ピックアップローラの上方への回動に連動して前記補助ギヤの軸方向に移動して前記補助ギヤと前記付勢部材とを押し付けて、前記付勢部材による前記補助ギヤの回転への負荷を増大させ、前記幅ガイドの移動にかかる負荷を増大させて前記原稿を保持させる規制手段と、を配設することにより、上記目的を達成している。
【００１９】
上記構成によれば、幅ガイドのラック部の歯合するピニオンに歯合して所定の軸を中心に回転可能な補助ギヤと、補助ギヤの軸方向に配設され補助ギヤに所定の付勢力を付与して補助ギヤの回転に所定の負荷を付与する付勢部材と、ピックアップローラに連結されピックアップローラが待機位置に位置するとき、補助ギヤあるいは付勢部材から離れて補助ギヤの回転を確保してピニオンの回転を確保し、ピックアップローラが待機位置から分離ローラを中心として上方に回動すると、当該ピックアップローラの上方への回動に連動して補助ギヤの軸方向に移動して補助ギヤと付勢部材とを押し付けて、付勢部材による補助ギヤの回転への負荷を増大させ、幅ガイドの移動にかかる負荷を増大させて原稿を保持させる規制手段と、を配設しているので、幅ガイドのラック部の歯合しているピニオンに補助ギヤを歯合させるとともに、原稿の搬送動作に応じて分離ローラを中心に回動するピックアップローラの回動動作に応じて、ピニオンの歯合している補助ギヤの回転に負荷を付与する付勢部材の付勢力を調整することができ、幅ガイドを原稿幅にあわせて操作する際には、付勢部材の補助ギヤへの負荷を弱めて適切に操作することができるとともに、原稿搬送時にピックアップローラが上方に回動するのに連動させて付勢部材の補助ギヤへの負荷を増大させて、幅ガイドにより原稿を適切に保持することができ、かつ、補助ギヤの大きさを変化させることにより、幅ガイドの位置を自由に変化させて、レイアウトの自由度を向上させることができる。その結果、幅ガイドによる原稿の保持性能と幅ガイドの操作性を向上させることができるとともに、幅ガイドの位置設定の自由度を向上させることができる。
【００２０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２１】
図１及び図２は、本発明の画像読取装置の第１の実施の形態を示す図であり、本実施の形態は、請求項１及び請求項２に対応するものである。
【００２２】
図１は、本発明の画像読取装置の第１の実施の形態を適用した画像読取装置２０の要部正面断面図である。
【００２３】
図１において、画像読取装置２０は、画像読取装置本体２１上部に原稿台２２が形成されており、原稿台２２には、一対の幅ガイド２３、２４が原稿２５の幅方向（図１の紙面に垂直な方向）に移動可能に配設されている。幅ガイド２３、２４は、ラック部２３ａ、２４ａが一体的に形成されており、ラック部２３ａ、２４ａは、ピニオン２６に歯合することにより、幅ガイド２３、２４が原稿２５の幅方向に連動して移動可能となっている。
【００２４】
原稿台２２上の原稿２５は、ピックアップローラ２７により分離ローラ２８へ送り出され、ピックアップローラ２７は、ブラケット２９を介して分離ローラ２８の軸芯を中心に回動可能に支持されている。ピックアップローラ２７の上部には、ピックアップローラ２７に当接する押さえ部材３０が配設されており、分離ローラ２８の上部には、分離ローラ２８に当接する対向ローラ３１が配設されている。ピックアップローラ２７は、分離ローラ２８及びピックアップローラ２７が回転されることにより、図１中破線で示す待機位置から実線で示すように上方に回動して、ピックアップローラ２７と押さえ部材３０との間に挿入された原稿台２２上の原稿２５を分離ローラ２８と対向ローラ３１に搬送し、分離ローラ２８は、対向ローラ３１とともに、搬送されてきた原稿２５を１枚ずつ分離して、搬送ローラ対３２に送り出す。
【００２５】
分離ローラ２８の原稿２５の搬送方向下流側には、搬送ローラ対３２、イメージセンサ３３、白基準ローラ３４及び排紙ローラ対３５が配設されており、イメージセンサ３３は、搬送ローラ対３２と排紙ローラ対３５の間に配設されて、イメージセンサ３３の読取部に白基準ローラ３４が当接する状態で配設されている。
【００２６】
搬送ローラ対３２は、分離ローラ２８から送り出されてきた原稿２５をイメージセンサ３３に搬送し、イメージセンサ３３に搬送されてきた原稿２５は、白基準ローラ３４によりイメージセンサ３３に押さえつけられながら排紙ローラ対３５に搬送される。
【００２７】
イメージセンサ（原稿読取部）３３は、例えば、光源、コンタクトガラス、ミラー、レンズ及びＣＣＤ（Charge Coupled Device ）等を備え、光源からコンタクトガラス上を搬送される原稿２５に光を照射して、原稿２５で反射される反射光をミラー及びレンズでＣＣＤに導入して、ＣＣＤで光電変換することにより、原稿２５の画像を読み取る。
【００２８】
白基準ローラ３４は、原稿２５の読取時、原稿２５をイメージセンサ３３に押し付けつつ搬送するとともに、原稿２５の読取前に、イメージセンサ３３により読み取られて、読取時の絶体白濃度および濃度ムラ等の基準となるシェーディングデータを提供する。
【００２９】
上記ピニオン２６は、軸３６により画像読取装置本体２１のフレーム（例えば、底板等）に回転自在に取り付けられており、軸方向に所定の長さを有して、上記ラック部２３ａ、２４ａが歯合するとともに、ピニオン２６自体がピニオンストッパ３７内に侵入している。
【００３０】
すなわち、ピニオンストッパ（規制部材）３７は、図２に示すように、長方形の枠形状に形成されており、ピックアップローラ２７側の外側面に連結端子３７ａが形成されているとともに、ピックアップローラ２７と反対側の外側面に係合端子３７ｂが形成されている。分離ローラ２８及びピックアップローラ２７を回転自在に支持しているブラケット２９のピニオンストッパ３７側の外側面には、連結端子２９ａが形成されており、ブラケット２９の連結端子２７ａとピニオンストッパ３７の連結端子３７ａには、リンク（連結部材）３８が回動自在に連結されている。ピニオンストッパ３７の係合端子３７ｂには、引張スプリング（付勢部材）３９の一端が係合されており、引張スプリング３９の他端は、画像読取装置本体２１のフレームに固定あるいはフレームに一体形成された固定アーム４０に係合されている。
【００３１】
ピニオンストッパ３７は、そのピックアップローラ２７と反対側の内側面にギヤ部３７ｃが形成されており、ピニオン２６は、上述のように、その上部がラック部２３ａ、２４ａに歯合し、その下部がピニオンストッパ３７内に収納されて、ピニオンストッパ３７のギヤ部３７ｃに歯合可能となっている。
【００３２】
ピニオンストッパ３７は、ピックアップローラ２７及び分離ローラ２８が回転されておらず、原稿２５の非搬送時には、ブラケット２９が押さえ部材３０から離間した待機位置に位置しており、ピニオンストッパ３７は、引張スプリング３９により引っ張られてピニオン２６がピニオンストッパ３７のギヤ部３７から離れて、ピニオン２６は、回転自在となっている。原稿２５の搬送時には、ピックアップローラ２７及び分離ローラ２８が回転して、ピックアップローラ２７が分離ローラ２８を中心にブラケット２９とともに上方（押さえ部材３０方向）に回動し、リンク３８を介してピニオンストッパ３７を引張スプリング３９の引張力に抗してピックアップローラ２７方向に移動させる。したがって、ピニオンストッパ３７がピックアップローラ２７方向に移動して、ピニオンストッパ３７のギヤ部３７ｃがピニオン２６に歯合し、ピニオン２６の回転を規制する。その結果、ピニオンストッパ３７は、ピニオン２６に歯合しているラック部２３ａ、２４ａの移動を規制し、ラック部２３ａ、２４ａと一体的に形成されている幅ガイド２３、２４の原稿２５の幅方向の移動を規制する。上記ピニオンストッパ３７、リンク３８及び引張スプリング３９は、全体として規制手段４１として機能している。
【００３３】
次に、本実施の形態の作用を説明する。本実施の形態の画像読取装置２０は、ピックアップローラ２７の分離ローラ２８を中心とした回動動作に連動させてピニオンストッパ３７を移動させて、ピニオン２６の回動の規制と開放を行って、ピニオン２６に歯合しているラック部２３ａ、２４ａが一体的に形成された幅ガイド２３、２４の移動の規制と開放を行うところにその特徴がある。
【００３４】
すなわち、原稿２５のセット時には、ピックアップローラ２７及び分離ローラ２８は回転されておらず、ブラケット２９は、ピックアップローラ２７とともに図１中破線で示す押さえ部材３０から離隔した待機位置に位置する。この状態においては、ピニオンストッパ３７は、引張スプリング３９により図１中右方向（ピックアップローラ２７から離隔する方向）に引っ張られ、ピニオン２６は、ピニオンストッパ３７のギヤ部３７ｃから離れて、回転自在となっている。
【００３５】
したがって、画像読取装置２０のオペレータは、原稿２５を原稿台２２上にセットし、セットした原稿２５の幅サイズに応じて、自由に幅ガイド２３、２４を移動させて、原稿２５の幅方向端部に幅ガイド２３、２４を押し当てて原稿２５の幅サイズに適した幅ガイド２３、２４のセットを容易に行うことができる。
【００３６】
上記幅ガイド２３、２４を移動させて原稿２５の幅方向端部に位置させると、オペレータは、画像読取装置２０のスタートキー等を投入して、原稿２５の読み取りを開始させる。
【００３７】
画像読取装置２０は、原稿２５の読み取りの開始が指示されると、分離ローラ２８及びピックアップローラ２７を回転させ、ピックアップローラ２７は、回転されると、分離ローラ２８を中心にブラケット２９とともに回動して、上方（押さえ部材３０方向）に移動する。ブラケット２９が上方に移動すると、ピニオンストッパ３７は、リンク３８を介してピックアップローラ２７方向に引張スプリング３９の引張力に抗して移動し、ピニオンストッパ３７のギヤ部３７ｃがピニオン２６に歯合する。
【００３８】
ピニオンストッパ３７のギヤ部３７ｃがピニオン２６に歯合すると、ピニオン２６の回転が規制され、ピニオン２６に歯合しているラック部２３ａ、２４ａの移動が規制される。このラック部２３ａ、２４ａは、幅ガイド２３、２４と一体的に形成されており、幅ガイド２３、２４の移動が規制される。
【００３９】
したがって、原稿２５の読取時には、幅ガイド２３、２４の原稿２５の幅方向の移動が規制され、原稿２５は、適切、かつ、確実に幅ガイド２３、２４によりガイドされる。
【００４０】
このように、本実施の形態によれば、分離ローラ２８を中心に待機位置と上方とに回動するピックアップローラ２７に規制手段４１を連結し、ピックアップローラ２７が、待機位置に位置するとき、規制手段４１を幅ガイド２３、２４のラック部２３ａ、２４ａの歯合するピニオン２６から離してピニオン２６の回転を確保し、ピックアップローラ２７が待機位置から分離ローラ２８を中心として上方に回動すると、規制手段４１を、ピックアップローラ２７の上方への回動に連動して所定量移動してピニオン２６に当接して、ピニオン２６の回転を規制し、幅ガイド２３、２４の移動を規制して原稿２５を保持する。したがって、原稿２５の搬送動作に応じて分離ローラ２８を中心に回動するピックアップローラ２７の回動動作に応じて、規制手段４１を移動して、幅ガイド２３、２４のラック部２３ａ、２４ａの歯合しているピニオン２６を自由回転させるとともにピニオン２６の回転を規制することができ、幅ガイド２３、２４を原稿２５の幅にあわせて操作する際には、ピニオン２６に負荷をかけずに適切に操作できるとともに、原稿２５の搬送時にピックアップローラ２７が上方に回動するのに連動させてピニオン２６の回転を確実に規制して幅ガイド２３、２４により原稿２５を確実に保持することができる。その結果、幅ガイド２３、２４による原稿２５の保持性能と幅ガイド２３、２４の操作性を向上させることができる。
【００４１】
また、本実施の形態では、規制手段４１を、ピニオン２６に歯合可能なギヤ部３７ｃを備えた規制部材であるピニオンストッパ３７と、ピニオンストッパ３７をピックアップローラ２７に連結する連結部材であるリンク３８と、ピニオンストッパ３７をギヤ部３７ｃがピニオン２６から離隔する方向に付勢する付勢部材である引張スプリング３９と、を備えたものとし、ピックアップローラ２７が待機位置に位置するとき、引張スプリング３９によりピニオンストッパ３７のギヤ部３７ｃをピニオン２６から離隔する方向に付勢して、ギヤ部３７ｃとピニオン２６とを離してピニオン２６の回転を確保し、ピックアップローラ２７が分離ローラ２８を中心として上方に回動すると、ピックアップローラ２７の回動によりリンク３８を介してピニオンストッパ３７のギヤ部３７ｃをピニオン２６方向に移動してピニオン２６と歯合させ、ピニオン２６の回転を規制している。したがって、簡単な構成で、原稿２５の搬送動作に応じて分離ローラ２８を中心に回動するピックアップローラ２７の回動動作に応じて、ピニオン２６に歯合可能なピニオンストッパ３７を移動して、幅ガイド２３、２４のラック部２３ａ、２４ａの歯合しているピニオン２６を自由回転させることができるとともにピニオン２６の回転を確実に規制することができ、幅ガイド２３、２４による原稿２５の保持性能と幅ガイド２３、２４の操作性を安価により一層向上させることができる。
【００４２】
図３及び図４は、本発明の画像読取装置の第２の実施の形態を示す図であり、本実施の形態は、請求項３に対応するものである。
【００４３】
なお、本実施の形態は、上記第１の実施の形態の画像読取装置２０と同様の画像読取装置に適用したものであり、本実施の形態の説明においては、上記第１の実施の形態の画像読取装置２０と同様の構成部分には、同一の符号を付して、その詳細な説明を省略する。
【００４４】
図３は、本発明の画像読取装置の第２の実施の形態を適用した画像読取装置５０の要部正面断面図である。
【００４５】
図３において、画像読取装置５０は、分離ローラ２８及びピックアップローラ２７がブラケット５１に回転可能に支持されており、ブラケット５１のピニオン２６側の外側面には、図４に示すように、アーム５２が取り付けられている。アーム５２は、図３に示すように、その先端部５２ａがピニオン２６の真下まで延在して形成されており、ブラケット５１が、図３中実線で示すように、分離ローラ２８を中心に上方に回動すると、その先端部５２ａがピニオン２６の下端面に当接して、ピニオン２６を上方に押圧する。
【００４６】
ピニオン２６は、画像読取装置本体２１の原稿台２２の底板に固定された図示しない支持軸に回転自在に支持されており、ピニオン２６と原稿台２２の底板との間には、圧縮スプリング５３が配設されている。ピニオン２６は、この圧縮スプリング５３によりその回転に所定の負荷が付与されている。
【００４７】
本実施の形態の画像読取装置５０は、原稿２５のセット時には、ピックアップローラ２７及び分離ローラ２８は回転されておらず、ブラケット５１は、ピックアップローラ２７とともに図３中破線で示す押さえ部材３０から離隔した待機位置に位置する。この状態においては、アーム５２は、その先端部５２ａがピニオン２６から離れており、ピニオン２６は、圧縮スプリング５３の付勢力によってのみ、その回転に負荷がかかっている。
【００４８】
したがって、画像読取装置５０のオペレータは、原稿２５を原稿台２２上にセットし、セットした原稿２５の幅サイズに応じて、圧縮スプリング５３の付勢力による負荷に抗して幅ガイド２３、２４を移動させて、原稿２５の幅方向端部に幅ガイド２３、２４を押し当てて幅ガイド２３、２４をセットすることができる。
【００４９】
上記幅ガイド２３、２４を移動させて原稿２５の幅方向端部に位置させると、オペレータは、画像読取装置５０のスタートキー等を投入して、原稿２５の読み取りを開始させる。
【００５０】
画像読取装置５０は、原稿２５の読み取りの開始が指示されると、分離ローラ２８及びピックアップローラ２７を回転させ、ピックアップローラ２７は、回転されると、分離ローラ２８を中心にブラケット５１とともに回動して、上方（押さえ部材３０方向）に移動する。ブラケット５１が分離ローラ２８を中心に上方に回動移動すると、ブラケット５１に取り付けられたアーム５２の先端部５２ａが上方に移動して、ピニオン２６の下端部を上方に押し上げ、ピニオン２６は、圧縮スプリング５３に強く押し付けられる。
【００５１】
したがって、ピニオン２６は、アーム５２の先端部５２ａにより圧縮スプリング５３に強く押し付けられることにより、その回転の動作負荷が大きくなり、原稿２５の読取時には、幅ガイド２３、２４の原稿２５の幅方向の移動が規制され、原稿２５は、適切、かつ、確実に幅ガイド２３、２４によりガイドされる。
【００５２】
このように、本実施の形態の画像読取装置５０によれば、原稿２５の搬送動作に応じて分離ローラ２８を中心に回動するピックアップローラ２７の回動動作に応じて、幅ガイド２３、２４のラック部２３ａ、２４ａの歯合しているピニオン２６の回転に負荷を付与する圧縮スプリング５３の付勢力を調整することができ、幅ガイド２３、２４を原稿２５の幅にあわせて操作する際には、圧縮スプリング５３のピニオン２６への負荷を弱めて適切に操作することができるとともに、原稿２５の搬送時にピックアップローラ２７が上方に回動するのに連動させて圧縮スプリング５３のピニオン２６への負荷を増大させて、幅ガイド２３、２４により原稿２５を適切に保持することができる。その結果、幅ガイド２３、２４による原稿２５の保持性能と幅ガイド２３、２４の操作性を向上させることができる。
【００５３】
図５は、本発明の画像読取装置の第３の実施の形態を示す図であり、本実施の形態は、請求項４に対応するものである。
【００５４】
なお、本実施の形態は、上記第１の実施の形態の画像読取装置２０と同様の画像読取装置に適用したものであり、本実施の形態の説明においては、上記第１の実施の形態の画像読取装置２０と同様の構成部分には、同一の符号を付して、その詳細な説明を省略する。
【００５５】
図５は、本発明の画像読取装置の第３の実施の形態を適用した画像読取装置６０の要部正面断面図である。
【００５６】
図５において、画像読取装置６０は、ピニオン６１が軸方向に長く形成されており、ピニオン６１には、幅ガイド２３のラック部２３ａと幅ガイド２４のラック部２４ａが歯合している。ピニオン６１には、画像読取装置本体２１の底板に固定された支持軸６２により回転自在に支持されたアイドラギヤ６３が歯合しており、アイドラギヤ６３と底板との間には、圧縮スプリング６４が配設されている。圧縮スプリング６４は、アイドラギヤ６３に所定の回転負荷を付与し、アイドラギヤ６３を介してピニオン６１の回転に負荷を付与する。
【００５７】
また、分離ローラ２８及びピックアップローラ２７は、ブラケット６５に回転可能に支持されており、ブラケット６５のピニオン６１側の外側面には、アーム６６が取り付けられている。アーム６６は、その先端部６６ａがアイドラギヤ６３の真下まで延在して形成されており、ブラケット６５が、図５中実線で示すように、分離ローラ２８を中心に上方に回動すると、その先端部６６ａがアイドラギヤ６３の下端面に当接して、アイドラギヤ６３を上方に押圧する。アイドラギヤ６３が上方に押圧されると、圧縮スプリング６４による回転への負荷が大きくなり、ピニオン６１の回転負荷が大きくなって、幅ガイド２３、２４の移動負荷が大きくなる。
【００５８】
本実施の形態の画像読取装置６０は、原稿２５のセット時には、ピックアップローラ２７及び分離ローラ２８は回転されておらず、ブラケット６５は、ピックアップローラ２７とともに図５中破線で示す押さえ部材３０から離隔した待機位置に位置する。この状態においては、アーム６６は、その先端部６６ａがアイドラギヤ６３から離れており、アイドラギヤ６３は、圧縮スプリング６４の付勢力によってのみ、その回転に負荷がかかっている。
【００５９】
したがって、画像読取装置６０のオペレータは、原稿２５を原稿台２２上にセットし、セットした原稿２５の幅サイズに応じて、ピニオン６１に歯合しているアイドラギヤ６３に作用している圧縮スプリング６４の付勢力による負荷に抗して幅ガイド２３、２４を移動させて、原稿２５の幅方向端部に幅ガイド２３、２４を押し当てて幅ガイド２３、２４をセットすることができる。
【００６０】
上記幅ガイド２３、２４を移動させて原稿２５の幅方向端部に位置させると、オペレータは、画像読取装置６０のスタートキー等を投入して、原稿２５の読み取りを開始させる。
【００６１】
画像読取装置６０は、原稿２５の読み取りの開始が指示されると、分離ローラ２８及びピックアップローラ２７を回転させ、ピックアップローラ２７は、回転されると、分離ローラ２８を中心にブラケット６５とともに回動して、上方（押さえ部材３０方向）に移動する。ブラケット６５が分離ローラ２８を中心に上方に回動移動すると、ブラケット６５に取り付けられたアーム６６の先端部６６ａが上方に移動して、アイドラギヤ６３の下端部を上方に押し上げ、アイドラギヤ６３は、圧縮スプリング６４に押し付けられる。アイドラギヤ６３は、圧縮スプリング６４に押し付けられると、圧縮スプリング６４の付勢力が増大し、アイドラギヤ６３の回転の動作負荷が大きくなる。
【００６２】
したがって、ピニオン６１は、アイドラギヤ６３の回転負荷が大きくなる分だけ、その回転の動作負荷が大きくなり、原稿２５の読取時には、幅ガイド２３、２４の原稿２５の幅方向の移動が規制され、原稿２５は、適切に幅ガイド２３、２４によりガイドされる。
【００６３】
そして、画像読取装置６０は、アイドラギヤ６３のピッチ円の大きさＬを変化させることにより、ピニオン６１の位置を自由に設定することができ、幅ガイド２３、２４の位置を自由に設定して、幅ガイド２３、２４の位置設定のレイアウトの自由度を拡大することができる。
【００６４】
このように、本実施の形態の画像読取装置６０によれば、幅ガイド２３、２４のラック部２３ａ、２４ａの歯合しているピニオン２６にアイドラギヤ６３を歯合させるとともに、原稿２５の搬送動作に応じて分離ローラ２８を中心に回動するピックアップローラ２７の回動動作に応じて、ピニオン２６の歯合しているアイドラギヤ６３の回転に負荷を付与する圧縮スプリング６４の付勢力を調整することができ、幅ガイド２３、２４を原稿２５の幅にあわせて操作する際には、圧縮スプリング６４のアイドラギヤ６３への負荷を弱めて適切に操作することができるとともに、原稿２５の搬送時にピックアップローラ２７が上方に回動するのに連動させて圧縮スプリング６４のアイドラギヤ６３への負荷を増大させて、幅ガイド２３、２４により原稿２５を適切に保持することができ、かつ、アイドラギヤ６３の大きさを変化させることにより、幅ガイド２３、２４の位置を自由に変化させて、レイアウトの自由度を向上させることができる。その結果、幅ガイド２３、２４による原稿２５の保持性能と幅ガイド２３、２４の操作性を向上させることができるとともに、幅ガイド２３、２４の位置設定の自由度を向上させることができる。
【００６５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６６】
【発明の効果】
請求項１記載の発明の画像読取装置によれば、分離ローラを中心に待機位置と上方とに回動するピックアップローラに所定の規制手段を連結し、ピックアップローラが、待機位置に位置するとき、規制手段を幅ガイドのラック部の歯合するピニオンから離してピニオンの回転を確保し、ピックアップローラが待機位置から分離ローラを中心として上方に回動すると、規制手段を、ピックアップローラの上方への回動に連動して所定方向に所定量移動してピニオンに当接して、ピニオンの回転を規制し、幅ガイドの移動を規制して原稿を保持するので、原稿の搬送動作に応じて分離ローラを中心に回動するピックアップローラの回動動作に応じて、規制手段を移動して、幅ガイドのラック部の歯合しているピニオンを自由回転させるとともにピニオンの回転を規制することができ、幅ガイドを原稿幅にあわせて操作する際には、ピニオンの回転が規制されず適切に操作できるとともに、原稿搬送時にピックアップローラが上方に回動するのに連動させてピニオンの回転を確実に規制して幅ガイドにより原稿を確実に保持することができる。その結果、幅ガイドによる原稿の保持性能と幅ガイドの操作性を向上させることができる。
【００６７】
請求項２記載の発明の画像読取装置によれば、規制手段を、ピニオンに歯合可能なギヤ部を備えた規制部材と、規制部材をピックアップローラに連結する連結部材と、規制部材をギヤ部がピニオンから離隔する方向に付勢する付勢部材と、を備えたものとし、ピックアップローラが待機位置に位置するとき、付勢部材により規制部材のギヤ部をピニオンから離隔する方向に付勢して、ギヤ部とピニオンとを離してピニオンの回転を確保し、ピックアップローラが分離ローラを中心として上方に回動すると、ピックアップローラの回動により連結部材を介して規制部材のギヤ部をピニオン方向に移動してピニオンと歯合させ、ピニオンの回転を規制するので、簡単な構成で、原稿の搬送動作に応じて分離ローラを中心に回動するピックアップローラの回動動作に応じて、ピニオンに歯合可能な規制部材を移動して、幅ガイドのラック部の歯合しているピニオンを自由回転させることができるとともにピニオンの回転を確実に規制することができ、幅ガイドによる原稿の保持性能と幅ガイドの操作性を安価により一層向上させることができる。
【００６８】
請求項３記載の発明の画像読取装置によれば、幅ガイドのラック部の歯合するピニオンの軸方向に配設されてピニオンに所定の付勢力を付与してピニオンの回転に所定の負荷を付与する付勢部材と、ピックアップローラに連結されピックアップローラが待機位置に位置するとき、ピニオンあるいは付勢部材から離れてピニオンの回転を確保し、ピックアップローラが待機位置から分離ローラを中心として上方に回動すると、当該ピックアップローラの上方への回動に連動してピニオンの軸方向に移動してピニオンと付勢部材とを押し付けて、付勢部材によるピニオンの回転への負荷を増大させ、幅ガイドの移動にかかる負荷を増大させて原稿を保持させる規制手段と、を配設しているので、原稿の搬送動作に応じて分離ローラを中心に回動するピックアップローラの回動動作に応じて、幅ガイドのラック部の歯合しているピニオンの回転に負荷を付与する付勢部材の付勢力を調整することができ、幅ガイドを原稿幅にあわせて操作する際には、付勢部材のピニオンへの負荷を弱めて適切に操作することができるとともに、原稿搬送時にピックアップローラが上方に回動するのに連動させて付勢部材のピニオンへの負荷を増大させて、幅ガイドにより原稿を適切に保持することができる。その結果、幅ガイドによる原稿の保持性能と幅ガイドの操作性を向上させることができる。
【００６９】
請求項４記載の発明の画像読取装置によれば、幅ガイドのラック部の歯合するピニオンに歯合して所定の軸を中心に回転可能な補助ギヤと、補助ギヤの軸方向に配設され補助ギヤに所定の付勢力を付与して補助ギヤの回転に所定の負荷を付与する付勢部材と、ピックアップローラに連結されピックアップローラが待機位置に位置するとき、補助ギヤあるいは付勢部材から離れて補助ギヤの回転を確保してピニオンの回転を確保し、ピックアップローラが待機位置から分離ローラを中心として上方に回動すると、当該ピックアップローラの上方への回動に連動して補助ギヤの軸方向に移動して補助ギヤと付勢部材とを押し付けて、付勢部材による補助ギヤの回転への負荷を増大させ、幅ガイドの移動にかかる負荷を増大させて原稿を保持させる規制手段と、を配設しているので、幅ガイドのラック部の歯合しているピニオンに補助ギヤを歯合させるとともに、原稿の搬送動作に応じて分離ローラを中心に回動するピックアップローラの回動動作に応じて、ピニオンの歯合している補助ギヤの回転に負荷を付与する付勢部材の付勢力を調整することができ、幅ガイドを原稿幅にあわせて操作する際には、付勢部材の補助ギヤへの負荷を弱めて適切に操作することができるとともに、原稿搬送時にピックアップローラが上方に回動するのに連動させて付勢部材の補助ギヤへの負荷を増大させて、幅ガイドにより原稿を適切に保持することができ、かつ、補助ギヤの大きさを変化させることにより、幅ガイドの位置を自由に変化させて、レイアウトの自由度を向上させることができる。その結果、幅ガイドによる原稿の保持性能と幅ガイドの操作性を向上させることができるとともに、幅ガイドの位置設定の自由度を向上させることができる。
【図面の簡単な説明】
【図１】本発明の画像読取装置の第１の実施の形態を適用した画像読取装置の要部正面断面図。
【図２】図１のピックアップローラ、分離ローラ、ピニオン、ピニオンストッパ、リンク及び引張スプリング部分の斜視図。
【図３】本発明の画像読取装置の第２の実施の形態を適用した画像読取装置の要部正面断面図。
【図４】図３のピックアップローラ、分離ローラ及びアーム部分の斜視図。
【図５】本発明の画像読取装置の第３の実施の形態を適用した画像読取装置の要部正面断面図。
【図６】従来の画像読取装置の要部正面断面図。
【図７】図６の幅ガイド及びピニオン部分の斜視図。
【符号の説明】
２０  画像読取装置
２１  画像読取装置本体
２２  原稿台
２３、２４  幅ガイド
２３ａ、２４ａ  ラック部
２５  原稿
２６  ピニオン
２７  ピックアップローラ
２７ａ  連結端子
２８  分離ローラ
２９  ブラケット
３０  押さえ部材
３１  対向ローラ
３２  搬送ローラ対
３３  イメージセンサ
３４  白基準ローラ
３５  排紙ローラ対
３６  軸
３７  ピニオンストッパ
３７ａ  連結端子
３７ｂ  係合端子
３７ｃ  ギヤ部
３８  リンク
３９  引張スプリング
４０  固定アーム
４１  規制手段
５０  画像読取装置
５１  ブラケット
５２  アーム
５２ａ  先端部
５３  圧縮スプリング
６０  画像読取装置
６１  ピニオン
６２  支持軸
６３  アイドラギヤ
６４  圧縮スプリング
６５  ブラケット
６６  アーム
６６ａ  先端部
【図１】
0003693272.tif 000002
【図２】
0003693272.tif 000003
【図３】
0003693272.tif 000004
【図４】
0003693272.tif 000005
【図５】
0003693272.tif 000006
【図６】
0003693272.tif 000007
【図７】
0003693272.tif 000008